(57)【要約】【課題】  躯体や柱、あるいは下地鋼材に容易に取付けることができる機能と、上段ＡＬＣパネルを支持する機能と、アンカーボルトによるパネル固定機能を備えた１種類のＡＬＣパネル取付金具を用いて簡易迅速に、かつ低コストで施工できるＡＬＣパネルの取付構造の提供。【解決手段】  一枚物の薄板部材に上段ＡＬＣパネル取付用アンカーボルトを嵌入支持するために設けた垂直方向の切欠きと、同垂直面の下部に下段ＡＬＣパネル取付用アンカーボルトを挿通支持するために設けた垂直方向の長孔を有し、前記切欠きと長孔のほぼ中間部に当該薄板部材の両サイド部を垂直面と直角に折曲げて形成した水平に突出する上段パネル自重受け部を備えたＡＬＣパネル取付金具を用い、前記上段パネル自重受け部に上段パネルがアンカーボルトにて固定され、上段パネル自重受け部下側に下段ＡＬＣパネルがアンカーボルトにて固定され、該ＡＬＣパネル取付金具が建築物の柱または躯体に直接または下地鋼材を介して溶接された構造となしたことを特徴とする。【選択図】  図４
2005127052.tif 000002
【特許請求の範囲】
【請求項１】
建築物の柱または躯体に縦壁用ＡＬＣパネルを取付ける際の取付金具であって、一枚物の薄板部材からなり、垂直面の上部に上段ＡＬＣパネル取付用アンカーボルトを嵌入支持するために設けた垂直方向の切欠きと、同垂直面の下部に下段ＡＬＣパネル取付用アンカーボルトを挿通支持するために設けた垂直方向の長孔を有し、前記切欠きと長孔のほぼ中間部に当該薄板部材の両サイド部を垂直面と直角に折曲げて形成した水平に突出する上段パネル自重受け部を備えたＡＬＣパネルの取付金具。
【請求項２】
建築物の柱または躯体に縦壁用ＡＬＣパネルを取付ける際の取付金具であって、一枚物の薄板部材の上部に上段ＡＬＣパネル取付用アンカーボルトを嵌入支持するために設けた垂直方向の切欠きと、同垂直面の下部に下段ＡＬＣパネル取付用アンカーボルトを挿通支持するために設けた垂直方向の長孔を有し、前記切欠きと長孔のほぼ中間部に水平方向にスライド可能に貫通支持され、かつ建築物の柱または躯体側の両側端に掛止用垂直フランジ部を有する別部材からなる上段パネル自重受け部材を備えたＡＬＣパネルの取付金具。
【請求項３】
前記請求項１に記載のＡＬＣパネル取付金具を用いた縦壁用ＡＬＣパネルの取付構造であって、前記ＡＬＣパネル取付金具の上段パネル自重受け部に上段パネルが載置された状態で、当該パネルに埋設されたアンカーに前記ＡＬＣパネル取付金具の切欠きに嵌入支持されたボルトが螺合されて固定され、さらに前記下段ＡＬＣパネルが当該パネルに埋設されたアンカーに前記ＡＬＣパネル取付金具の長孔に挿通支持されたボルトが螺合されて固定され、前記ＡＬＣパネル取付金具の背面が建築物の柱または躯体に下地鋼材を介して溶接された構造となしたことを特徴とするＡＬＣパネルの取付構造。
【請求項４】
前記請求項２に記載のＡＬＣパネル取付金具を用いた縦壁用ＡＬＣパネルの取付構造であって、前記ＡＬＣパネル取付金具の上段パネル自重受け部材に上段パネルが載置された状態で、当該パネルに埋設されたアンカーに前記ＡＬＣパネル取付金具の切欠きに嵌入支持されたボルトが螺合されて固定され、さらに前記下段ＡＬＣパネルが当該パネルに埋設されたアンカーに前記ＡＬＣパネル取付金具の長孔に挿通支持されたボルトが螺合されて固定され、前記ＡＬ
Ｃパネル取付金具の掛止用垂直フランジ部が建築物の柱または躯体に溶接された構造となしたことを特徴とするＡＬＣパネルの取付構造。
【発明の詳細な説明】
【技術分野】
【０００１】
この発明は、鉄骨造の外壁として取付けられるＡＬＣ（軽量気泡コンクリート）パネルの取付金具およびその取付構造に関するものである。
【背景技術】
【０００２】
ＡＬＣパネルは、軽量で、断熱性、耐火性、意匠性に優れており、また取り寸けが容易なため主に鉄骨造の外壁として広く使用されている。ＡＬＣパネルを柱や躯体に取付る方法としては、柱や躯体に位置決めのための下地鋼材（帯板）を取付け、該下地鋼材に種々のパネル取付金具を用いてＡＬＣパネルを取付ける方法が一般的である。
図６〜図８はその一例を示したもので、板状部材の垂直面に対し直交して水平に突出するＡＬＣパネル自重支持部２０−１と、当該垂直面下部にアンカーボルトを貫通支持するための長孔２０−２が設けられた金具２０（図６）と、板状部材の垂直面部にアンカーボルトを貫通支持するためのボルト孔２１−１が設けられたイナズマ形金具２１（図７）を用い、図８に示すように、前記金具２０のパネル自重支持部２０−１に上段パネル３０を載置した状態で、柱２５に取付けられた帯板からなる下地鋼材２４と当該柱２５との間に溶接にて介在固定した前記イナズマ形金具２１のボルト孔２１−１に貫通させたアンカーボルト３０−２を当該上段パネル３０に埋設されたアンカー３０−１に螺合して固定し、さらに下段パネル３１を当該パネルに埋設されたアンカー３１−１に前記金具２０の長孔２０−２に挿通させたアンカーボルト３１−２を螺合して固定する方式が知られている（特許文献１参照）。
【特許文献１】特許２５９８４６５号
【発明の開示】
【発明が解決しようとする課題】
【０００３】
しかしながら、上記した方法では、出隅部において上段ＡＬＣパネルを取付ける際、イナズマ形金具２１の出隅側辺の溶接固定が事実上困難であり、施工品質の確保に問題があった。また、２種類の金具を用いることから、部品点数が多くなり、取付け作業が煩雑になるとともに、コストアップにつながるという問題があった。
【０００４】
本発明は、従来技術の前記問題を解決するためになされたもので、躯体や柱、あるいは下地鋼材に容易に取付けることができる機能と、上段ＡＬＣパネルを支持する機能と、アンカーボルトによるパネル固定機能を備えた１種類のＡＬＣパネル取付金具と、該取付金具を用いて簡易迅速に、かつ低コストで施工できるＡＬＣパネルの取付構造を提供することを目的とするものである。
【課題を解決するための手段】
【０００５】
本発明に係るＡＬＣパネルの取付金具は、一枚物の薄板部材からなり、垂直面の上部に上段ＡＬＣパネル取付用アンカーボルトを嵌入支持するために設けた垂直方向の切欠きと、同垂直面の下部に下段ＡＬＣパネル取付用アンカーボルトを挿通支持するために設けた垂直方向の長孔を有し、前記切欠きと長孔のほぼ中間部に当該薄板部材の両サイド部を垂直面と直角に折曲げて形成した水平に突出する上段パネル自重受け部を備えたもの（請求項１）と、一枚物の薄板部材の上部に上段ＡＬＣパネル取付用アンカーボルトを嵌入支持するために設けた垂直方向の切欠きと、同垂直面の下部に下段ＡＬＣパネル取付用アンカーボルトを挿通支持するために設けた垂直方向の長孔を有し、前記切欠きと長孔のほぼ中間部に水平方向にスライド可能に貫通支持され、かつ建築物の柱または躯体側の両側端に掛止用垂直フランジ部を有する別部材からなる上段パネル自重受け部材を備えたもの（請求項２）を要旨とするものである。
【０００６】
また、本発明に係るＡＬＣパネルの取付け構造は、前記請求項１のＡＬＣパネル取付金具を用いた縦壁用ＡＬＣパネルの取付構造であって、前記ＡＬＣパネル取付金具の上段パネル自重受け部に上段パネルが載置された状態で、当該パネルに埋設されたアンカーに前記ＡＬＣパネル取付金具の切欠きに嵌入支持されたボルトが螺合されて固定され、さらに前記下段ＡＬＣパネルが当該パネルに埋設されたアンカーに前記ＡＬＣパネル取付金具の長孔に挿通支持されたボルトが螺合されて固定され、前記ＡＬＣパネル取付金具の背面が建築物の柱または躯体に下地鋼材を介して溶接された構造（請求項３）と、前記請求項２に記載のＡＬＣパネル取付金具を用いた縦壁用ＡＬＣパネルの取付構造であって、前記ＡＬＣパネル取付金具の上段パネル自重受け部材に上段パネルが載置された状態で、当該パネルに埋設されたアンカーに前記ＡＬＣパネル取付金具の切欠きに嵌入支持されたボルトが螺合されて固定され、さらに前記下段ＡＬＣパネルが当該パネルに埋設されたアンカーに前記ＡＬＣパネル取付金具の長孔に挿通支持されたボルトが螺合されて固定され、前記ＡＬＣパネル取付金具の掛止用垂直フランジ部が建築物の柱または躯体に溶接された構造（請求項３）を要旨とするものである。
【発明の効果】
【０００７】
本発明のＡＬＣパネルの取付金具によれば、従来工法では必要とされながら事実上困難であった出隅部側のイナズマ形金具の溶接作業が不要となり、施工性を向上できるとともに、安全性の確保をより確実とすることができる。また、躯体や柱、あるいは下地鋼材に容易に取付けることができる機能と、ＡＬＣパネル支持機能と、アンカーボルトによるパネル固定機能を一つの金具に集約させることで、金具点数が多くなることによる作業の煩雑さを緩和することができるとともに、施工における金具費用を削減することも可能となる。
【発明を実施するための最良の形態】
【０００８】
図１は本発明に係るＡＬＣパネル取付金具の一実施例を示す斜視図、図２は同じくＡＬＣパネル取付金具の他の実施例であって、（ａ）はＡＬＣパネル取付金具の分解斜視図、（ｂ）は同上ＡＬＣパネル取付金具を組立てた状態を示す側面図、（ｃ）は同上ＡＬＣパネル取付金具の構成部材の変形例を示す斜視図、図３は同じくＡＬＣパネル取付金具の別の実施例であって、（ａ）は主構成部材を示す斜視図、（ｂ）は同上ＡＬＣパネル取付金具を組立てた状態を示す側面図、図４は図１に示す取付金具を用いたＡＬＣパネルの取付構造を示す縦断側面図、図５は図２に示す取付金具を用いたＡＬＣパネルの取付構造を示す縦断側面図であり、１、２、３はＡＬＣパネル取付金具、１０は上段ＡＬＣパネル、１１は下段ＡＬＣパネル、１２はアンカー、１３はアンカーボルト、１４は下地鋼材、１５は柱（躯体）である。
【０００９】
まず、図１に示すＡＬＣパネル取付金具１は、一枚物の薄板部材からなり、該薄板部材の垂直面の上部に上段ＡＬＣパネル取付用アンカーボルト１３を嵌入支持するための垂直方向の切欠き１−１を設け、さらに当該垂直面の下部に下段ＡＬＣパネル取付用アンカーボルト１３を挿通支持するための垂直方向の長孔１−２を穿設し、前記切欠き１−１と長孔１−２のほぼ中間部に当該薄板部材の垂直面の両サイド部にスリットを入れて当該部分を垂直面と直角に折曲げて水平に突出する上段パネル自重受け部１−３を形成して構成したものである。
【００１０】
図２に示すＡＬＣパネル取付金具２は、垂直板部材２Ａと、上段パネル自重受け部材２Ｂの２つの部材で構成されたもので、垂直板部材２Ａには上段ＡＬＣパネル取付用アンカーボルト１３を嵌入支持するための垂直方向の切欠き２Ａ−１、下段ＡＬＣパネル取付用アンカーボルト１３を挿通支持するための垂直方向の長孔２Ａ−２および、上段パネル自重受け部材２Ｂを水平にスライド可能に貫通支持するための凹形支持孔２Ａ−３が設けられ、かつ上段パネル自重受け部材２Ｂは、前端側に設けた水平に突出する上段パネル自重受け部２Ｂ−１と、後端側の両側端に設けた掛止用垂直フランジ部２Ｂ−２を有し、前記垂直板部材２Ａの凹形支持孔２Ａ−３に前記上段パネル自重受け部材２Ｂをスライド可能に貫通し、かつ掛止用垂直フランジ部２Ｂ−２にて掛止させた状態で、垂直板部材２Ａと上段パネル自重受け部材２Ｂの掛止用垂直フランジ部２Ｂ−２との当接部を溶接して一体化する。
なお、上段パネル自重受け部材２Ｂとしては、図２（ｃ）に示すように、前端側の上段パネル自重受け部２Ｃ−１を掛止用垂直フランジ部２ｃ−２側より幅広とし、かつ上段パネル自重受け部２Ｃ−１と掛止用垂直フランジ部２Ｃ−２との間に凹部２ｃ−３を形成し、上段パネル自重受け部２Ｃ−１を凹形支持孔２Ａ−３に貫通させた状態で当該上段パネル自重受け部２Ｃ−１を幅方向に水平にずらすことによって前記凹部２Ｃ−３に掛け止める方式の上段パネル自重受け部材２Ｃを用いてもよい。この場合は、垂直板部材２Ａと上段パネル自重受け部材２Ｃとを特に溶接する必要はない。
【００１１】
また、図３に示すＡＬＣパネル取付金具３は、前記図２に示す垂直板部材２Ａに替えて、当該板部材の中間部に強度を高めるための凹部３Ａ−４を設けた板部材を用いたもので、上側の垂直面部に上段ＡＬＣパネル取付用アンカーボルト１３を嵌入支持するための垂直方向の切欠き３Ａ−１が、下側の垂直面部に下段ＡＬＣパネル取付用アンカーボルト１３を挿通支持するための垂直方向の長孔３Ａ−２がそれぞれ設けられ、前記凹部３Ａ−４に上段パネル自重受け部材３Ｂを水平にスライド可能に貫通支持するための凹形支持孔３Ａ−３が設けられた構造となしたもので、この場合は上段パネル自重受け部材３Ｂの上段パネル自重受け部３Ｂ−１を凹形支持孔３Ａ−３に挿入した状態で凹部３Ａ−４の部分と上段パネル自重受け部材３Ｂの掛止用垂直フランジ部３Ｂ−２とを溶接する。
【００１２】
次に、上記した本発明のＡＬＣパネル取付金具を用いたＡＬＣパネル取付構造例を図４、図５に基づいて説明する。
まず、取付けるＡＬＣパネル１０、１１には、所定の位置にアンカー１２が埋設され、該アンカー１２にはアンカーボルトを螺合するためのねじ孔が設けられている。
図４は図１に示す取付金具１を用いたＡＬＣパネルの取付構造を示したもので、ＡＬＣパネル取付金具１の上段パネル自重受け部１−３に上段ＡＬＣパネル１０を載置した状態で、当該パネルに埋設されたアンカー１２にＡＬＣパネル取付金具１の切欠き１−１に嵌入したアンカーボルト１３を螺合して該上段ＡＬＣパネル１０を面外方向に固定する。さらに、同ＡＬＣパネル取付金具１の上段パネル自重受け部１−３の下側に下段ＡＬＣパネル１１を保持した状態で、当該パネルに埋設されたアンカー１２にＡＬＣパネル取付金具１の長孔１−２に挿通したアンカーボルト１３を螺合して該下段ＡＬＣパネル１１を面外方向に固定する。そして、この上段ＡＬＣパネル１０と下段ＡＬＣパネル１１と一体のＡＬＣパネル取付金具１の背面部を柱（躯体）１５に予め設置された下地鋼材１４に溶接し固定する。以上の工程を繰返し行うことで、パネル壁面を構成していく。
【００１３】
また、図５に示すＡＬＣパネルの取付構造は、垂直板部材２Ａの凹形支持孔２Ａ−３に前記上段パネル自重受け部材２Ｂを貫通し、かつ掛止用垂直フランジ部２Ｂ−２にて掛止させた状態で、垂直板部材２Ａと上段パネル自重受け部材２Ｂの掛止用垂直フランジ部２Ｂ−２との当接部を溶接して一体化したＡＬＣパネル取付金具２の上段パネル自重受け部２Ｂ−１に上段ＡＬＣパネル１０を載置した状態で、当該パネルに埋設されたアンカー１２にＡＬＣパネル取付金具２の切欠き２Ａ−１に嵌入したアンカーボルト１３を螺合して該上段ＡＬＣパネル１０を面外方向に固定する。さらに、同ＡＬＣパネル取付金具１の上段パネル自重受け部２Ｂ−１の下側に下段ＡＬＣパネル１１を保持した状態で、当該パネルに埋設されたアンカー１２にＡＬＣパネル取付金具２の長孔２Ａ−２に挿通したアンカーボルト１３を螺合して該下段ＡＬＣパネル１１を面外方向に固定する。そして、この上段ＡＬＣパネル１０と下段ＡＬＣパネル１１と一体のＡＬＣパネル取付金具２の掛止用垂直フランジ部２Ｂ−２の端部を柱（躯体）１５に溶接して固定する。以上の工程を繰返し行うことで、パネル壁面を構成していく。
なお、図３に示すＡＬＣパネル取付金具を用いた場合も上記と同様の手順でＡＬＣパネルの取付けてパネル壁面を構成していくことはいうまでもない。
【図面の簡単な説明】
【００１４】
【図１】本発明に係るＡＬＣパネル取付金具の一実施例を示す斜視図である。
【図２】同じくＡＬＣパネル取付金具の他の実施例であって、（ａ）はＡＬＣパネル取付金具の分解斜視図、（ｂ）は同上ＡＬＣパネル取付金具を組立てた状態を示す側面図、（ｃ）は同上ＡＬＣパネル取付金具の構成部材の変形例を示す斜視図である。
【図３】同じくＡＬＣパネル取付金具の別の実施例であって、（ａ）は主構成部材を示す斜視図、（ｂ）は同上ＡＬＣパネル取付金具を組立てた状態を示す側面図である。
【図４】図１に示す取付金具を用いたＡＬＣパネルの取付構造を示す縦断側面図である。
【図５】図２に示す取付金具を用いたＡＬＣパネルの取付構造を示す縦断側面図である。
【図６】従来のＡＬＣパネル取付金具を示す斜視図である。
【図７】同じく従来のＡＬＣパネル取付金具を示す斜視図である。
【図８】図６、図７に示す取付金具を用いたＡＬＣパネルの取付構造を示す縦断側面図である。
【符号の説明】
【００１５】
１、２、３  ＡＬＣパネル取付金具
１０  上段ＡＬＣパネル
１１  下段ＡＬＣパネル
１２  アンカー
１３  アンカーボルト
１４  下地鋼材
１５  柱（躯体）
【図１】
2005127052.tif 000003
【図２】
2005127052.tif 000004
【図３】
2005127052.tif 000005
【図４】
2005127052.tif 000006
【図５】
2005127052.tif 000007
【図６】
2005127052.tif 000008
【図７】
2005127052.tif 000009
【図８】
2005127052.tif 000010